(57)【要約】【課題】直流正極側ブス、直流負極側ブスを同一形状にできる半導体電力変換装置を得る。【解決手段】順変換回路１を構成するユニット１１〜１３に備えている直流正極端子Ｐ及び直流負極端子Ｎの配置と、逆変換回路２を構成するユニット２１〜２３に備えている直流正極端子Ｐ及び直流負極端子Ｎの配置は、点対称となるように、互いに所定の間隔を存して同一平面上に配置し、直流正極側ブス６は矩形状のコンデンサ端子接続面部６１と、６１の周縁の対向する位置に６１より外側に延出すると共に１１〜１３、２１〜２３の直流正極端子Ｐと接続する矩形状の正極端子接続部６２を有する導板と、直流負極側ブス７は矩形状のコンデンサ端子接続面部７１と、７１の周縁の対向する位置に７１より外側に延出すると共に１１〜１３、２１〜２３の直流負極端子Ｎと接続する矩形状の負極端子接続部７２を有する導板からなるもの。【選択図】      図２
2010074994.tif 000002
【特許請求の範囲】
【請求項１】
交流を直流に変換するものであって、少なくとも２個のユニットを備え、各ユニットは上下アームからなるレグを備え、各レグにそれぞれ複数個の半導体スイッチング素子を接続してなり、各アーム毎の半導体スイッチング素子の接続点に交流端子を有し、かつ前記各ユニットの半導体スイッチング素子の非接続端子同士をそれぞれ共通接続した点をそれぞれ垂直方向の高さの異なる直流正極端子及び直流負極端子を備えた順変換回路と、
前記順変換回路で変換された直流を交流に変換するものであって、少なくとも２個のユニットを備え、各ユニットは上下アームからなるレグを備え、各レグにそれぞれ複数個の半導体スイッチング素子を接続してなり、各レグ毎の半導体スイッチング素子の接続点に交流端子を有し、かつ前記各レグの半導体スイッチング素子の非接続端子同士をそれぞれ共通接続した点をそれぞれ垂直方向の高さの異なる直流正極端子及び直流負極端子を備えた逆変換回路と、
前記順変換回路の各ユニットに有する各直流正極端子と前記逆変換回路の各ユニットに有する各直流正極端子の間を一つの直流正極側ブスで接続し、かつ前記順変換回路の各ユニットに有する各直流負極端子と前記逆変換回路の各ユニットに有する各直流負極端子の間を一つの直流負極側ブスで接続し、前記直流正極側ブスと前記直流負極側ブスの間に、前記各ユニット対応して設け、垂直方向の高さの異なる正極端子及び負極端子を有する直流平滑用コンデンサをそれぞれ接続した電圧リンク型の半導体電力変換装置において、
前記順変換回路を構成する各ユニットにそれぞれ備えている各直流正極端子及び各直流負極端子の配置と、前記逆変換回路を構成する各ユニットにそれぞれ備えている各直流正極端子及び各直流負極端子の配置は、点対称となるようにし、
前記直流正極側ブスは前記コンデンサの各ユニットの各正極端子を電気的に接続する矩形状のコンデンサ端子接続面部と、前記コンデンサ端子接続面部であって前記コンデンサの各ユニットの各負極端子をそれぞれ前記直流負極側ブスに接続する際に使用する工具を挿通する工具挿通孔と、前記コンデンサ端子接続面部の周縁の対向する位置に前記コンデンサ端子接続面部より外側に延出すると共に前記各ユニットの各直流正極端子と接続する各正極端子接続部を有する導体からなり、
前記直流負極側ブスは前記コンデンサの各ユニットの各負極端子を電気的に接続する矩形状のコンデンサ端子接続面部と、前記コンデンサ端子接続面部であって前記コンデンサの各ユニットの各正極端子を前記直流正極側ブスに接続する際に貫通させるコンデンサ端子貫通孔と、前記コンデンサ端子接続面部の周縁の対向する位置に前記コンデンサ端子接続面部より外側に延出すると共に前記各ユニットの各直流負極端子と接続する各負極端子接続部を有する導体からなり、
前記直流正極側ブスに有する前記工具挿通孔及び前記正極端子接続部と、前記直流負極側ブスに有する前記コンデンサ端子貫通孔及び前記負極端子接続部は点対称となるように構成したことを特徴とする半導体電力変換装置。
【請求項２】
交流を直流に変換するものであって、少なくとも２個のユニットを備え、各ユニットは上下アームからなるレグを備え、各レグにそれぞれ複数個の半導体スイッチング素子を接続してなり、各アーム毎の半導体スイッチング素子の接続点に交流端子を有し、かつ前記各ユニットの半導体スイッチング素子の非接続端子同士をそれぞれ共通接続した点をそれぞれ垂直方向の高さの異なる直流正極端子及び直流負極端子を備えた順変換回路と、
前記順変換回路で変換された直流を交流に変換するものであって、少なくとも２個のユニットを備え、各ユニットは上下アームからなるレグを備え、各レグにそれぞれ複数個の半導体スイッチング素子を接続してなり、各レグ毎の半導体スイッチング素子の接続点に交流端子を有し、かつ前記各レグの半導体スイッチング素子の非接続端子同士をそれぞれ共通接続した点をそれぞれ垂直方向の高さの異なる直流正極端子及び直流負極端子を備えた逆変換回路と、
前記順変換回路の各ユニットに有する各直流正極端子と前記逆変換回路の各ユニットに有する各直流正極端子の間を一つの直流正極側ブスで接続し、かつ前記順変換回路の各ユニットに有する各直流負極端子と前記逆変換回路の各ユニットに有する各直流負極端子の間を一つの直流負極側ブスで接続し、前記直流正極側ブスと前記直流負極側ブスの間に、前記各ユニット対応して設け、垂直方向の高さの異なる正極端子及び負極端子を有する直流平滑用コンデンサをそれぞれ接続した電圧リンク型の半導体電力変換装置において、
前記順変換回路を構成する各ユニットにそれぞれ備えている各直流正極端子及び各直流負極端子の配置と、前記逆変換回路を構成する各ユニットにそれぞれ備えている各直流正極端子及び各直流負極端子の配置は、点対称となるようにし、
前記直流負極側ブスは前記コンデンサの各ユニットの各負極端子を電気的に接続する矩形状のコンデンサ端子接続面部と、前記コンデンサ端子接続面部であって前記コンデンサの各ユニットの各正極端子をそれぞれ前記直流正極側ブスに接続する際に使用する工具を挿通する工具挿通孔と、前記コンデンサ端子接続面部の周縁の対向する位置に前記コンデンサ端子接続面部より外側に延出すると共に前記各ユニットの各直流負極端子と接続する各負極端子接続部を有する導体からなり、
前記直流正極側ブスは前記コンデンサの各ユニットの各正極端子を電気的に接続する矩形状のコンデンサ端子接続面部と、前記コンデンサ端子接続面部であって前記コンデンサの各ユニットの各負極端子を前記直流負極側ブスに接続する際に貫通させるコンデンサ端子貫通孔と、前記コンデンサ端子接続面部の周縁の対向する位置に前記コンデンサ端子接続面部より外側に延出すると共に前記各ユニットの各直流正極端子と接続する各正極端子接続部を有する導体からなり、
前記直流負極側ブスに有する前記工具挿通孔及び前記負極端子接続部と、前記直流正極側ブスに有する前記コンデンサ端子貫通孔及び前記正極端子接続部は点対称となるように構成したことを特徴とする半導体電力変換装置。
【請求項３】
前記直流正極側ブスと前記直流負極側ブスは、絶縁物を介在させて重ね合わせた積層構造としたことを特徴とする請求項１記載の半導体電力変換装置。
【発明の詳細な説明】
【技術分野】
【０００１】
本発明は、交流を直流に変換するものであって少なくとも２個のレグを有し、各レグに複数の半導体スイッチング素子を有する順変換回路と、前記順変換回路で変換された直流を交流に変換するものであって少なくとも２個のレグを有し、各レグに複数の半導体スイッチング素子を有する逆変換回路と、順変換回路の直流正極端子と逆変換回路の直流正極端子の間を直流正極側ブスで接続し、かつ順変換回路の直流負極端子と逆変換回路の直流負極端子の間を直流負極側ブスで接続し、直流正極側ブスと直流負極側ブスの間に直流平滑用コンデンサを接続した電圧リンク型の半導体電力変換装置に関する。
【背景技術】
【０００２】
従来この種の半導体電力変換装置の一例として、特許文献１に示すように、コンバータ用モジュールとインバータ用モジュールに対して、各モジュールのパッケージ上面に設けた直流主回路端子、すなわち直流正極側ブス、直流負極側ブスを、同じ極性の端子同士が向かい合うように左右対称配置に配列したものがある。
【特許文献１】特開平９−２１９９７０
【発明の開示】
【発明が解決しようとする課題】
【０００３】
特許文献１の発明にあっては、直流正極側ブス、直流負極側ブスの配線インダクタンスが小さくなり、該ブス通電に伴う電磁誘導がパッケージに内蔵されている半導体スイッチング素子に及ぼす影響がほとんどなくなるという、効果が得られるものの、半導体スイッチング素子と直流平滑用コンデンサは近傍に配置されず、直流正極側ブス、直流負極側ブスで形状が異なるため、ブスの種類が増え、製造時においても歩留まりが悪化するという問題があった。
【０００４】
本発明は、このような問題を解決するためなされたものであり、直流正極側ブス、直流負極側ブスを同一形状にでき、部品共通化と製造時の歩留まりが向上する半導体電力変換装置を提供することを目的とする。
【課題を解決するための手段】
【０００５】
前記目的を達成するため、請求項１に対応する発明は、交流を直流に変換するものであって、少なくとも２個のユニットを備え、各ユニットは上下アームからなるレグを備え、各レグにそれぞれ複数個の半導体スイッチング素子を接続してなり、各アーム毎の半導体スイッチング素子の接続点に交流端子を有し、かつ前記各ユニットの半導体スイッチング素子の非接続端子同士をそれぞれ共通接続した点をそれぞれ垂直方向の高さの異なる直流正極端子及び直流負極端子を備えた順変換回路と、
前記順変換回路で変換された直流を交流に変換するものであって、少なくとも２個のユニットを備え、各ユニットは上下アームからなるレグを備え、各レグにそれぞれ複数個の半導体スイッチング素子を接続してなり、各レグ毎の半導体スイッチング素子の接続点に交流端子を有し、かつ前記各レグの半導体スイッチング素子の非接続端子同士をそれぞれ共通接続した点をそれぞれ垂直方向の高さの異なる直流正極端子及び直流負極端子を備えた逆変換回路と、
前記順変換回路の各ユニットに有する各直流正極端子と前記逆変換回路の各ユニットに有する各直流正極端子の間を一つの直流正極側ブスで接続し、かつ前記順変換回路の各ユニットに有する各直流負極端子と前記逆変換回路の各ユニットに有する各直流負極端子の間を一つの直流負極側ブスで接続し、前記直流正極側ブスと前記直流負極側ブスの間に、前記各ユニット対応して設け、垂直方向の高さの異なる正極端子及び負極端子を有する直流平滑用コンデンサをそれぞれ接続した電圧リンク型の半導体電力変換装置において、
前記順変換回路を構成する各ユニットにそれぞれ備えている各直流正極端子及び各直流負極端子の配置と、前記逆変換回路を構成する各ユニットにそれぞれ備えている各直流正極端子及び各直流負極端子の配置は、点対称となるようにし、
前記直流正極側ブスは前記コンデンサの各ユニットの各正極端子を電気的に接続する矩形状のコンデンサ端子接続面部と、前記コンデンサ端子接続面部であって前記コンデンサの各ユニットの各負極端子をそれぞれ前記直流負極側ブスに接続する際に使用する工具を挿通する工具挿通孔と、前記コンデンサ端子接続面部の周縁の対向する位置に前記コンデンサ端子接続面部より外側に延出すると共に前記各ユニットの各直流正極端子と接続する各正極端子接続部を有する導体からなり、
前記直流負極側ブスは前記コンデンサの各ユニットの各負極端子を電気的に接続する矩形状のコンデンサ端子接続面部と、前記コンデンサ端子接続面部であって前記コンデンサの各ユニットの各正極端子を前記直流正極側ブスに接続する際に貫通させるコンデンサ端子貫通孔と、前記コンデンサ端子接続面部の周縁の対向する位置に前記コンデンサ端子接続面部より外側に延出すると共に前記各ユニットの各直流負極端子と接続する各負極端子接続部を有する導体からなり、
前記直流正極側ブスに有する前記工具挿通孔及び前記正極端子接続部と、前記直流負極側ブスに有する前記コンデンサ端子貫通孔及び前記負極端子接続部は点対称となるように構成したことを特徴とする半導体電力変換装置である。
【０００６】
前記目的を達成するため、請求項２に対応する発明は、交流を直流に変換するものであって、少なくとも２個のユニットを備え、各ユニットは上下アームからなるレグを備え、各レグにそれぞれ複数個の半導体スイッチング素子を接続してなり、各アーム毎の半導体スイッチング素子の接続点に交流端子を有し、かつ前記各ユニットの半導体スイッチング素子の非接続端子同士をそれぞれ共通接続した点をそれぞれ垂直方向の高さの異なる直流正極端子及び直流負極端子を備えた順変換回路と、
前記順変換回路で変換された直流を交流に変換するものであって、少なくとも２個のユニットを備え、各ユニットは上下アームからなるレグを備え、各レグにそれぞれ複数個の半導体スイッチング素子を接続してなり、各レグ毎の半導体スイッチング素子の接続点に交流端子を有し、かつ前記各レグの半導体スイッチング素子の非接続端子同士をそれぞれ共通接続した点をそれぞれ垂直方向の高さの異なる直流正極端子及び直流負極端子を備えた逆変換回路と、
前記順変換回路の各ユニットに有する各直流正極端子と前記逆変換回路の各ユニットに有する各直流正極端子の間を一つの直流正極側ブスで接続し、かつ前記順変換回路の各ユニットに有する各直流負極端子と前記逆変換回路の各ユニットに有する各直流負極端子の間を一つの直流負極側ブスで接続し、前記直流正極側ブスと前記直流負極側ブスの間に、前記各ユニット対応して設け、垂直方向の高さの異なる正極端子及び負極端子を有する直流平滑用コンデンサをそれぞれ接続した電圧リンク型の半導体電力変換装置において、
前記順変換回路を構成する各ユニットにそれぞれ備えている各直流正極端子及び各直流負極端子の配置と、前記逆変換回路を構成する各ユニットにそれぞれ備えている各直流正極端子及び各直流負極端子の配置は、点対称となるようにし、
前記直流負極側ブスは前記コンデンサの各ユニットの各負極端子を電気的に接続する矩形状のコンデンサ端子接続面部と、前記コンデンサ端子接続面部であって前記コンデンサの各ユニットの各正極端子をそれぞれ前記直流正極側ブスに接続する際に使用する工具を挿通する工具挿通孔と、前記コンデンサ端子接続面部の周縁の対向する位置に前記コンデンサ端子接続面部より外側に延出すると共に前記各ユニットの各直流負極端子と接続する各負極端子接続部を有する導体からなり、
前記直流正極側ブスは前記コンデンサの各ユニットの各正極端子を電気的に接続する矩形状のコンデンサ端子接続面部と、前記コンデンサ端子接続面部であって前記コンデンサの各ユニットの各負極端子を前記直流負極側ブスに接続する際に貫通させるコンデンサ端子貫通孔と、前記コンデンサ端子接続面部の周縁の対向する位置に前記コンデンサ端子接続面部より外側に延出すると共に前記各ユニットの各直流正極端子と接続する各正極端子接続部を有する導体からなり、
前記直流負極側ブスに有する前記工具挿通孔及び前記負極端子接続部と、前記直流正極側ブスに有する前記コンデンサ端子貫通孔及び前記正極端子接続部は点対称となるように構成したことを特徴とする半導体電力変換装置である。
【発明の効果】
【０００７】
本発明によれば、直流正極側ブス、直流負極側ブスを同一形状にでき、部品共通化と製造時の歩留まりが向上する半導体電力変換装置を提供できる。
【発明を実施するための最良の形態】
【０００８】
以下、この発明の実施の形態について、図面を参照して説明する。始めに、図１を参照して電圧リンク型の半導体電力変換装置の概要について説明する。電力系統３からの交流電圧を順変換回路（順変換モジュール）１により直流電圧に変換し、順変換回路１により変換された直流電圧を逆変換回路（逆変換モジュール）２により交流電圧に変換し、交流負荷４例えば交流電動機Ｍに印加するものである。
【０００９】
順変換回路１は、３個（３相を構成する）のユニット１１、１２、１３を備え、各ユニット１１〜１３は上下アームからなるレグを備え、各レグにそれぞれ２個の半導体スイッチング素子０１を接続してなり、各レグ毎の上アームの半導体スイッチング素子０１のエミッタ及び下アームの半導体スイッチング素子０１のコレクタとの接続点に交流端子（ＡＣ）Ｕ、Ｖ、Ｗを有し、かつ各レグの半導体スイッチング素子０１の非接続端子、具体的には各レグ毎の上アームのコレクタと下アームのエミッタ同士をそれぞれ共通接続した点をそれぞれ直流正極端子１１Ｐ、１２Ｐ、１３Ｐ及び直流負極端子１１Ｎ、１２Ｎ、１３Ｎを有したフルブリッジ回路である。
【００１０】
逆変換回路２は、３個（３相を構成する）のユニット２１、２２、２３を備え、各ユニット２１〜２３は上下アームからなるレグを備え、各レグにそれぞれ２個の半導体スイッチング素子０２を接続してなり、各レグ毎の上アームの半導体スイッチング素子０２のエミッタ及び下アームの半導体スイッチング素子０２のコレクタとの接続点に交流端子（ＡＣ）Ｕ、Ｖ、Ｗを有し、かつ各レグの半導体スイッチング素子０２の非接続端子、具体的には各レグ毎の上アームのコレクタと下アームのエミッタ同士をそれぞれ共通接続した点をそれぞれ直流正極端子２１Ｐ、２２Ｐ、２３Ｐ及び直流負極端子２１Ｎ、２２Ｎ、２３Ｎを有したフルブリッジ回路である。
【００１１】
順変換回路１の各ユニット１１、１２、１３の各直流正極端子１１Ｐ、１２Ｐ、１３Ｐと逆変換回路２の各ユニット２１、２２、２３の各直流正極端子２１Ｐ、２２Ｐ、２３Ｐの間を、後述する直流正極側ブス６で接続し、かつ順変換回路１の各ユニット１１、１２、１３の直流負極端子１１Ｎ、１２Ｎ、１３Ｎと逆変換回路２のの各ユニット２１、２２、２３の各直流負極端子２１Ｎ、２２Ｎ、２３Ｎの間を後述する直流負極側ブス７で接続し、直流正極側ブス６と直流負極側ブス７の間に、３個のコンデンサユニット５１、５２、５３からなる直流平滑用コンデンサ５を接続したものである。
【００１２】
半導体スイッチング素子０１、０２は、いずれも同一構成で、ＩＧＢＴなどのパワートランジスタＴと、トランジスタＴのエミッタ及びコレクタ間に逆並列に接続されたフライホイールダイオードＤとから構成されている。
【００１３】
次に、本発明の特徴部分について、図２〜図５を参照して説明する。図２〜図４は、いずれも本発明の電力変換装置における順変換回路１と、逆変換回路２及び直流正極側ブス６と直流負極側ブス７並びにコンデンサ５の平面図であり、このうち図３は直流正極側ブス６を説明するための平面で、図４は直流負極側ブス７を説明するための平面図で、図５は図１の正面図である。
【００１４】
図２〜図５に示すように順変換回路１を構成する複数のユニット１１〜１３にそれぞれ備えている垂直方向の高さの異なる直流正極端子１１Ｐ〜１３Ｐ及び直流負極端子１１Ｎ〜１３Ｎの配置と、逆変換回路２を構成する複数のユニット２１〜２３にそれぞれ備えている直方向の高さの異なる各直流正極端子２１Ｐ〜２３Ｐ及び各直流負極端子２１Ｎ〜２３Ｎ並びにコンデンサ５のユニット５１、５２、５３の直方向の高さの異なる各正極端子５１Ｐ、５２Ｐ、５３Ｐ及び各負極端子５１Ｎ、５２Ｎ、５３Ｎ並びにコンデンサ５ユニット５１〜５３の正極端子５１Ｐ〜５３Ｐ及び負極端子５１Ｎ〜５３Ｎの配置は、それぞれ点対称となるように、互いに所定の間隔を存して同一平面上に配置したものである。
【００１５】
ここで、点対称とはある平面図形を、１つの点を中心にして１８０度回転して、元の図形にぴったり重なるとき、この図形を点対称という定義のことである。
【００１６】
そして、直流正極側ブス６はコンデンサ５のユニット５１、５２、５３の各正極端子５１Ｐ〜５３Ｐを電気的に接続する矩形状のコンデンサ端子接続面部６１と、コンデンサ端子接続面部６１の周縁の対向する位置にコンデンサ端子接続面部６１より外側に延出すると共にユニット１１〜１３、２１〜２３の各直流正極端子１１Ｐ〜１３Ｐ、２１Ｐ〜２３Ｐと接続する矩形状の正極端子接続部６２と、ユニット５１、５２、５３の各負極端子５１Ｎ〜５３Ｎと後述する直流負極側ブス７のコンデンサ端子接続面部７１を、例えば端子ねじ９で接続する際にドライバ等の工具が挿通できるように矩形状の工具挿通孔（コンデンサ５のユニット５１、５２、５３の端子形状と同じ矩形の孔）６４とを有する導板例えば銅板からなっている。
【００１７】
また直流負極側ブス７はコンデンサ５のユニット５１、５２、５３の各負極端子５１Ｎ〜５３Ｎを電気的に接続する矩形状のコンデンサ端子接続面部７１と、コンデンサ端子接続面部７１の周縁の対向する位置にコンデンサ端子接続面部７１より外側に延出すると共にユニット１１〜１３、２１〜２３の各直流負極端子１１Ｎ〜１３Ｎ、２１Ｎ〜２３Ｎと接続する矩形状の負極端子接続部７２と、ユニット５１、５２、５３の各正極端子５１Ｐ〜５３Ｐを貫通させるためのコンデンサ端子貫通孔７４とを有する導板例えば銅板からなっている。
【００１８】
なお、各コンデンサ５のユニット５１〜５３の正極端子５１Ｐ〜５３Ｐは、図５に示すようにドライバ等の工具により例えば端子ねじ８で直流正極側ブス６のコンデンサ端子接続面部６１で接続される。また図５に示すように直流側正極ブス６の正極端子部６２にはそれぞれ直流正極端子１１Ｐ〜１３Ｐが、ドライバ等の工具により例えば端子ねじ１０で接続され、直流側正極ブス６の正極端子部６３にはそれぞれ直流正極端子２１Ｐ〜２３Ｐが、ドライバ等の工具により例えば端子ねじ１１で接続される。さらに、図５に示すように直流側負極ブス７の負極端子部７２にはそれぞれ直流負極端子１１Ｎ〜１３ＮＰが、ドライバ等の工具により例えば端子ねじ１２で接続され、直流側負極ブス７の負極端子部７３にはそれぞれ直流負極端子２１Ｎ〜２３Ｎが、ドライバ等の工具により例えば端子ねじ１３で接続される。
【００１９】
以上述べた直流正極側ブス６と直流負極側ブス７は、これらに有する工具挿通孔６４と、コンデンサ端子貫通孔７４と、並びに正極端子接続部６２、６３及び負極端子接続部７２、７３を含めて点対称となるように構成した、つまり直流正極側ブス６と直流負極側ブス７は同一形状となっている。このように直流正極側ブス６と直流負極側ブス７を同一形状とすることができるため、部品の共通化、ブスの製造にあたっての歩留まり向上が可能となる。
【００２０】
このような効果が得られるのは、順変換回路１を構成する複数のユニット１１〜１３にそれぞれ備えている直流正極端子Ｐ及び直流負極端子Ｎの配置と、逆変換回路２を構成する複数のユニット２１〜２３にそれぞれ備えている直流正極端子Ｐ及び直流負極端子Ｎの配置は、点対称となるように、同一平面上に配置したことである。
【００２１】
具体的には、順変換回路１の半導体スイッチング素子０１の直流正極端子Ｐの並びと逆変換用の半導体スイッチング素子０２の直流正極端子Ｐの並びが点対称となるように各半導体スイッチング素子０１、０２を配置する。そして、順変換回路１の半導体スイッチング素子０１の直流負極端子Ｎの並びと逆変換回路２の半導体スイッチング素子０２の直流負極端子Ｎの並びについても、点対称となるように各半導体スイッチング素子０１、０２を配置する。そして直流コンデンサ５については、直流正極端子Ｐと直流負極端子Ｎの並びが点対称になるように直流コンデンサのユニット５１〜５３を配置したからである。
【００２２】
本発明は、以上述べた実施形態に限らず種々変形して実施できる。例えば、前述の実施形態では、直流正極側ブス６を上部に配置し、この下部に直流負極側ブス７を配置した場合について説明したが、これを逆、つまり直流正極側ブス６を下部に配置し、この上部に直流負極側ブス７を配置し、直流負極側ブス７に有する工具挿通孔及び負極端子接続部と、直流正極側ブス６に有するコンデンサ端子貫通孔及び正極端子接続部は点対称となるように構成してもよい。
【００２３】
さらに、図５に示した直流正極側ブス６と直流負極側ブス７との間は間隔をあけず、直流正極側ブス６と直流負極側ブス７との間に絶縁物（図示せず）を介在させて重ね合わせた積層構造としてもよい。このように構成することにより、線路インダクタンスを減少させることができる。
【００２４】
前述の実施形態では、順変換回路１及び逆変換回路２は、いずれもユニット１１、１２、１３及び２１、２２、２３と三相構成のものを例に挙げて説明したが、これをユニット１１、１２、１３及び２１、２２、２３のうちの少なくとも２個の単相構成であっても、前述の実施形態と同様な作用効果が得られる。
【図面の簡単な説明】
【００２５】
【図１】本発明の半導体電力変換装置の主回路図。
【図２】本発明の半導体電力変換装置の順変換回路と、逆変換回路と、直流コンデンサ並びに直流正極側ブス及び直流負極側ブスの関係を示す平面図。
【図３】本発明の半導体電力変換装置の順変換回路と、逆変換回路と、直流コンデンサ並びに直流正極側ブスの関係を示す平面図。
【図４】本発明の半導体電力変換装置の順変換回路と、逆変換回路と、直流コンデンサ並びに直流負極側ブスの関係を示す平面図。
【図５】本発明の半導体電力変換装置の順変換回路と、逆変換回路と、直流コンデンサ並びに直流正極側ブス及び直流負極側ブスの関係を示す正面図。
【符号の説明】
【００２６】
Ｍ…交流電動機、Ｕ、Ｖ、Ｗ…交流端子、Ｔ…パワートランジスタ、Ｄ…フライホイールダイオード、Ｐ…直流正極端子、Ｎ…直流負極端子、１…順変換回路、０１…半導体スイッチング素子、２…逆変換回路、０２…半導体スイッチング素子、３…電力系統、４…交流負荷、５…直流平滑用コンデンサ、６…直流正極側ブス、７…直流負極側ブス、１１、１２、１３…ユニット、１１Ｐ、１２Ｐ、１３Ｐ…直流正極端子、１１Ｎ、１２Ｎ、１３Ｎ…直流負極端子、２１、２２、２３…ユニット、２１Ｐ、２２Ｐ、２３Ｐ…直流正極端子、２１Ｎ、２２Ｎ、２３Ｎ…直流負極端子、５１、５２、５３…コンデンサユニット、
５１Ｐ、５２Ｐ、５３Ｐ…正極端子、５１Ｎ、５２Ｎ、５３Ｎ…負極端子、６１…コンデンサ端子接続面部、６２、６３…正極端子接続部、６４…工具挿通孔、７１…コンデンサ端子接続面部、７２、７３…負極端子接続部、７４…コンデンサ端子貫通孔。
【図１】
2010074994.tif 000003
【図２】
2010074994.tif 000004
【図３】
2010074994.tif 000005
【図４】
2010074994.tif 000006
【図５】
2010074994.tif 000007